(57)【要約】【課題】ハードディスクから光ディスクへのダビング処理を実行する際の使用者における利便性並びに効率を向上させることが可能な編集装置を提供する。【解決手段】ＨＤから再生されたタイトルをＤＶＤに記録するダビング処理の実行内容を編集する場合に、実行内容の編集処理の実行前において、ＤＶＤにおいて認められている記録態様に基づいて、ダビング処理の実行が可能か否かを判定し（ステップＳ２、Ｓ３）編集処理の実行前において、判定結果を告知する（ステップＳ１１）。【選択図】      図２
2005044400.tif 000002
【特許請求の範囲】
【請求項１】
記録媒体から再生された情報を当該記録媒体自体に再記録する再生記録処理、又は前記再生された情報を他の記録媒体に記録する再生記録処理の少なくともいずれか一方の実行内容を編集する編集装置において、
前記実行内容の編集処理の実行前において、前記記録媒体又は前記他の記録媒体の少なくともいずれか一方において認められている前記情報の記録態様に基づいて、前記再生記録処理の実行が可能か否かを判定する判定手段と、
前記編集処理の実行前において、前記判定結果を告知するための告知情報を外部に出力する出力手段と、
を備えることを特徴とする編集装置。
【請求項２】
請求項１に記載の編集装置において、
前記出力手段は、
前記再生記録処理の実行前に前記記録媒体に記録されている前記情報を識別するための元情報識別情報と、
いずれかの前記再生記録処理の対象とされている前記情報を識別するための対象情報識別情報と、
前記判定手段における判定内容に基づきいずれかの前記再生記録処理の対象とすることが禁止されている前記情報を示す禁止情報識別情報と、
を前記告知情報として出力することを特徴とする編集装置。
【請求項３】
請求項１に記載の編集装置において、
前記判定手段は、前記再生記録処理の実行前に前記記録媒体に記録されているときの前記情報が、当該記録媒体上における記録態様のままいずれかの前記再生記録処理の対象とすることが不可能な処理不可能情報であると判定されるとき、当該処理不可能情報に対して予め設定されている編集処理を施せばいずれかの前記再生記録処理の対象とすることが可能となるか否かを更に判定し、
前記出力手段は、前記編集処理を施せばいずれかの前記再生記録処理の対象とすることが可能となる前記処理不可能情報につき、
前記再生記録処理の実行前に前記記録媒体に記録されている当該処理不可能情報を識別するための元情報識別情報と、
前記編集処理後においていずれかの前記再生記録処理の対象とされる前記処理不可能情報の内容を識別するための対象情報識別情報と、
を前記告知情報として出力することを特徴とする編集装置。
【請求項４】
請求項３に記載の編集装置において、
前記対象情報識別情報は、前記編集処理後においていずれかの前記再生記録処理の対象とされる前記処理不可能情報の属性を示す属性情報を含むことを特徴とする編集装置。
【請求項５】
請求項４に記載の編集装置において、
前記対象情報識別情報は、複数の前記処理不可能情報につき、同一の属性を有する当該処理不可能情報を同一の前記属性情報を用いて示すものであることを特徴とする編集装置。
【請求項６】
請求項１に記載の編集装置において、
前記出力手段は、
前記再生記録処理の実行前に前記記録媒体に記録されている前記情報を識別するための元情報識別情報と、
いずれかの前記再生記録処理の対象とされている前記情報を識別するための対象情報識別情報であって、前記判定手段における判定内容に基づきいずれかの前記再生記録処理の対象とすることが可能と判定された前記情報のみを示す対象情報識別情報と、
を前記告知情報として出力することを特徴とする編集装置。
【請求項７】
請求項１から６のいずれか一項に記載の編集装置において、
前記判定手段は、
前記記録媒体又は前記他の記録媒体の少なくともいずれか一方に記録することが認められている前記情報におけるカラーテレビジョン標準放送方式の種類、
前記再生記録処理の実行前の前記記録媒体上の前記情報における複写制限の回数、
前記再生記録処理の実行前の前記記録媒体上の前記情報における編集の単位、
前記再生記録処理の実行前の前記記録媒体上の前記情報に対応した、当該情報を管理するための管理情報の内容、
前記記録媒体又は前記他の記録媒体の少なくともいずれか一方に記録することが認められている画像情報におけるアスペクト比、
前記記録媒体又は前記他の記録媒体の少なくともいずれか一方に記録することが認められている画像情報における解像度、
前記記録媒体又は前記他の記録媒体の少なくともいずれか一方に記録することが認められている音情報における符号化方式、
前記記録媒体又は前記他の記録媒体の少なくともいずれか一方における前記情報を記録することが可能な領域の記録容量、
又は、
前記記録媒体又は前記他の記録媒体の少なくともいずれか一方に記録することが認められている音声情報における言語数、
の少なくともいずれか一に基づいて、いずれかの前記再生記録処理の実行が可能か否かを判定することを特徴とする編集装置。
【請求項８】
請求項１から７のいずれか一項に記載の編集装置と、
前記出力された告知情報の内容に基づいて指定された前記情報を前記記録媒体から再生する再生手段と、
前記指定された情報に対して、当該告知情報の内容に基づいて指定された内容に対応した前記編集処理を施す情報編集手段と、
前記再生された情報又は前記編集処理が施された当該情報の少なくともいずれか一方を、前記出力された告知情報の内容に基づいて前記記録媒体又は前記他の記録媒体の少なくともいずれか一方に記録する記録手段と、
を備えることを特徴とする情報再生記録装置。
【請求項９】
記録媒体から再生された情報を当該記録媒体自体に再記録する再生記録処理、又は前記再生された情報を他の記録媒体に記録する再生記録処理の少なくともいずれか一方の実行内容を編集する編集方法において、
前記実行内容の編集処理の実行前において、前記記録媒体又は前記他の記録媒体の少なくともいずれか一方において認められている前記情報の記録態様に基づいて、前記再生記録処理の実行が可能か否かを判定する判定工程と、
前記編集処理の実行前において、前記判定結果を告知するための告知情報を外部に出力する出力工程と、
を備えることを特徴とする編集方法。
【請求項１０】
記録媒体から再生された情報を当該記録媒体自体に再記録する再生記録処理、又は前記再生された情報を他の記録媒体に記録する再生記録処理の少なくともいずれか一方の実行内容を編集する編集装置に含まれるコンピュータを、
前記実行内容の編集処理の実行前において、前記記録媒体又は前記他の記録媒体の少なくともいずれか一方において認められている前記情報の記録態様に基づいて、前記再生記録処理の実行が可能か否かを判定する判定手段、及び、
前記編集処理の実行前において、前記判定結果を告知するための告知情報を外部に出力する出力手段、
として機能させることを特徴とする編集用プログラム。
【請求項１１】
請求項１０に記載の編集用プログラムが、前記コンピュータにより読取可能に記録されていることを特徴とする情報記録媒体。
【発明の詳細な説明】
【０００１】
【発明の属する技術分野】
本願は、編集装置、情報再生記録装置、編集方法並びに編集用プログラム及び情報記録媒体の技術分野に属し、より詳細には、例えば、一の記録媒体から再生された情報を他の記録媒体に記録する、いわゆるダビング等を実行する前に、当該ダビング対象となっている情報を編集するための編集装置及び編集方法、当該編集処理のための編集用プログラム及び当該編集処理用プログラムが記録された情報記録媒体並びに当該編集装置を含む情報再生記録装置の技術分野に属する。
【０００２】
【従来の技術】
近年、放送電波を介して受信される番組を一時的にハードディスク等の大容量の記録媒体に記録しておき、その後に当該番組をＤＶＤ（Ｄｉｇｉｔａｌ  Ｖｅｒｓａｔｉｌｅ  Ｄｉｓｃ）等の光ディスクに転送して記録する、いわゆるダビングを実行することが可能なレコーダが一般化しつつある。
【０００３】
ここで、従来の当該レコーダにおいては、ハードディスク等に記録された番組の中から光ディスクにダビングする番組を選択・抽出し、当該ダビングすべき番組のみをそのダビングの順序に則って含むいわゆるダビングリストを作成し、そのダビングリストに基づいて順次ハードディスク等から光ディスクへダビングする処理を実行していた。
【０００４】
このとき、従来では、当該ダビングリストが作成された後において初めて、当該ダビングリストに示されている番組に対するダビング実行の可否（より具体的には、光ディスクにおける記録フォーマットに準拠することを前提としたダビングの可否等）や当該ダビングに必要な記録時間等がディスプレイ上における表示等により告知される構成となっていた。
【０００５】
【発明が解決しようとする課題】
しかしながら、上述した従来のレコーダにおけるダビングの方法によると、ダビングリストが作成された後でないと、光ディスクにおける記録フォーマット等に沿った実際のダビング実行の可否を認識することができず、結果として使用者に無駄なダビングリストの作成処理等を課すこととなるという問題点があった。
【０００６】
そこで、本願は上記の問題点に鑑みて為されたもので、その課題の一例は、上記ダビングを実行する際の使用者における利便性並びに効率を向上させることが可能な編集装置及び編集方法、当該編集処理のための編集用プログラム及び当該編集処理用プログラムが記録された情報記録媒体並びに当該編集装置を含む情報再生記録装置を提供することにある。
【０００７】
【課題を解決するための手段】
上記の課題を解決するために、請求項１に記載の発明は、ハードディスク等の記録媒体から再生された情報を当該記録媒体自体に再記録する再生記録処理、又は前記再生された情報をＤＶＤ等の他の記録媒体に記録する再生記録処理の少なくともいずれか一方の実行内容を編集する編集装置において、前記実行内容の編集処理の実行前において、前記記録媒体又は前記他の記録媒体の少なくともいずれか一方において認められている前記情報の記録態様に基づいて、前記再生記録処理の実行が可能か否かを判定するシステム制御部等の判定手段と、前記編集処理の実行前において、前記判定結果を告知するための告知情報を外部に出力するシステム制御部等の出力手段と、を備える。
【０００８】
上記の課題を解決するために、請求項８に記載の発明は、請求項１から７のいずれか一項に記載の編集装置と、前記出力された告知情報の内容に基づいて指定された前記情報を前記記録媒体から再生する映像デコーダ等の再生手段と、前記指定された情報に対して、当該告知情報の内容に基づいて指定された内容に対応した前記編集処理を施す番組情報設定部等の情報編集手段と、前記再生された情報又は前記編集処理が施された当該情報の少なくともいずれか一方を、前記出力された告知情報の内容に基づいて前記記録媒体又は前記他の記録媒体の少なくともいずれか一方に記録するＤＶＤドライブ等の記録手段と、を備える。
【０００９】
上記の課題を解決するために、請求項９に記載の発明は、ハードディスク等の記録媒体から再生された情報を当該記録媒体自体に再記録する再生記録処理、又は前記再生された情報をＤＶＤ等の他の記録媒体に記録する再生記録処理の少なくともいずれか一方の実行内容を編集する編集方法において、前記実行内容の編集処理の実行前において、前記記録媒体又は前記他の記録媒体の少なくともいずれか一方において認められている前記情報の記録態様に基づいて、前記再生記録処理の実行が可能か否かを判定する判定工程と、前記編集処理の実行前において、前記判定結果を告知するための告知情報を外部に出力する出力工程と、を備える。
【００１０】
上記の課題を解決するために、請求項１０に記載の発明は、ハードディスク等の記録媒体から再生された情報を当該記録媒体自体に再記録する再生記録処理、又は前記再生された情報をＤＶＤ等の他の記録媒体に記録する再生記録処理の少なくともいずれか一方の実行内容を編集する編集装置に含まれるコンピュータを、前記実行内容の編集処理の実行前において、前記記録媒体又は前記他の記録媒体の少なくともいずれか一方において認められている前記情報の記録態様に基づいて、前記再生記録処理の実行が可能か否かを判定する判定手段、及び、前記編集処理の実行前において、前記判定結果を告知するための告知情報を外部に出力する出力手段、として機能させる。
【００１１】
上記の課題を解決するために、請求項１１に記載の発明は、請求項１０に記載の編集用プログラムが、前記コンピュータにより読取可能に記録されている。
【００１２】
【発明の実施の形態】
次に、本願に好適な実施の形態について、図面に基づいて説明する。なお、以下に説明する実施の形態は、ハードディスク（以下、「ＨＤ」と称する）及びＤＶＤに放送番組を記録する情報記録再生装置としてのレコーダに対して、本願を適用した場合の実施の形態である。
【００１３】
まず、図１を用いてレコーダの全体構成及び概要動作について説明する。なお、図１は本願に係るレコーダの概要構成を示すブロック図である。
【００１４】
実施形態のレコーダ１００は、図１に示すように、映像データ及び音声データが記録される記録媒体としてのＨＤ２００に対して、そのデータの書込み又は読出しを行うＨＤドライブ２０１と、映像データ及び音声データが記録される他の記録媒体としてのＤＶＤ２０２に対して、そのデータの書込み又は読出しを行う記録手段としてのＤＶＤドライブ２０３と、放送番組などの映像信号及び音声信号などの映像データ及び音声データが入力され、ＨＤ２００又はＤＶＤ２０２に当該映像データ及び音声データを記録するデータ記録系１２０と、ＨＤ２００又はＤＶＤ２０２から既に記録されている映像データ及び音声データを読み出し各データの再生を行うデータ再生系１４０と、データ記録系１２０及びデータ再生系１４０を制御するシステム制御系１６０と、から構成される。
【００１５】
このとき、ＨＤドライブ２０１には、ＤＶＤドライブ２０３からの出力又はデータ記録系１２０からの出力を切り替える第１ドライブ切替部２０４と、ＡＴＡＰＩ（ＡＴ  Ａｔｔａｃｈｍｅｎｔ  Ｐａｃｋｅｔ  Ｉｎｔｅｒｆａｃｅ）などの規格に準拠したＨＤ用ドライブインターフェース２０５と、が接続されており、この第１ドライブ切替部２０４は、後述するシステム制御部１６６の制御により、入力及び出力の切り替えを行う。
【００１６】
また、このＨＤドライブ２０１は、予めＨＤ２００に記録され、映像データ及び音声データを有するプログラムストリームを当該ＨＤ２００から読み出してＨＤ用ドライブインターフェース２０５を介してデータ再生系１４０に出力すると共に、データ記録系１２０によって生成され、当該ＨＤ用ドライブインターフェース２０５を介して入力されたプログラムストリームをＨＤ２００に記録する。
【００１７】
一方、ＤＶＤドライブ２０３には、ＨＤドライブ２０１からの出力又はデータ記録系１２０からの出力を切り替える第２ドライブ切替部２０６と、ＡＴＡＰＩなどの規格に準拠したＤＶＤ用ドライブインターフェース２０７と、が接続されており、この第２ドライブ切替部２０６は、第１ドライブ切替部２０４と同様に、後述するシステム制御部１６６の制御により、入力及び出力の切り替えを行う。
【００１８】
また、このＤＶＤドライブ２０３は、ＨＤドライブ２０１と同様に、予めに記録され、映像データ及び音声データを有するプログラムストリームを当該ＤＶＤ２０２から読み出してＤＶＤ用ドライブインターフェース２０７を介してデータ再生系１４０に出力すると共に、データ記録系１２０によって生成され、当該ＤＶＤ用ドライブインターフェース２０７を介して入力されたプログラムストリームをＤＶＤ２０２に記録する。
【００１９】
次に、実施形態のレコーダ１００におけるデータ記録系１２０の具体的構成及び動作について説明する。
【００２０】
実施形態のレコーダ１００におけるデータ記録系１２０は、アンテナＡＴを介して各放送局から送信された放送波を受信するＴＶ受信部１２１と、映像入力端子及び音声入力端子を介して外部から入力されたアナログの映像信号及び音声信号とＴＶ受信部１２１からの出力を切り替える第１入力切替部１２２及び第２入力切替部１２３と、受信又は入力されたＴＶ用映像信号をデジタル信号に変換する第１アナログ／デジタル（以下「Ａ／Ｄ」と称する）コンバータ１２４と、受信又は入力された音声信号をデジタル信号に変換する第２Ａ／Ｄコンバータ１２５と、デジタル信号に変換されたＴＶ用映像信号を映像信号にデコードする映像信号デコーダ１２６と、エンコードする映像信号及び音声信号を選択する選択部１２７と、選択部１２７によって選択された映像信号をＭＰＥＧ（Ｍｏｔｉｏｎ  Ｐｉｃｔｕｒｅ  Ｅｘｐｅｒｔ  Ｇｒｏｕｐ）フォーマットに変換する映像エンコーダ１２８と、選択部１２７によって選択された音声信号をＡＣ（Ａｕｄｉｏ  Ｃｏｄｉｎｇ）−３フォーマットに変換する音声エンコーダ１２９と、ＭＰＥＧフォーマットの映像データとＡＣ−３フォーマットの音声データとからプログラムストリームを生成するマルチプレクサ１３０と、から構成される。
【００２１】
このとき、ＴＶ受信部１２１は、アンテナＡＴを介して各放送局から送信された放送波、例えば、ＶＨＦ又はＢＳなどのＲＦ信号を受信し、使用者の選択した受信帯域に同調して受信した信号波をＩＦ（中間周波数）信号に変換すると共に、ＴＶ映像信号及び音声信号に復調して第１入力切替部１２２に出力する。
【００２２】
そして、第１入力切替部１２２には、ＴＶ受信部１２１から出力されたＴＶ用映像信号と映像入力端子を介して外部から入力されたアナログの映像信号とが入力され、この第１入力切替部１２２は、システム制御系１６０の制御に基づいて、これらの入力されたＴＶ用映像信号を選択的に切り替えて、映像信号を第１Ａ／Ｄコンバータ１２４にする。
【００２３】
一方、第２入力切替部１２３には、ＴＶ受信部１２１から出力された音声信号と音声入力端子を介して外部から入力されたアナログの音声信号とが入力され、この第２入力切替部１２３は、システム制御系１６０の制御に基づいて、これらの入力された各音声信号を選択的に切り替えて第２Ａ／Ｄコンバータ１２５に出力する。
【００２４】
そして、第１Ａ／Ｄコンバータ１２４には、第１入力切替部１２２によって選択されたアナログ信号であるＴＶ用映像信号が入力され、この第１Ａ／Ｄコンバータ１２４は、入力されたアナログ信号であるＴＶ用映像信号をデジタル信号に変換して映像信号デコーダ１２６に出力する。
【００２５】
その後、映像信号デコーダ１２６には、デジタル信号に変換されたＴＶ用映像信号が入力され、この映像信号デコーダ１２６は、入力されたＴＶ用映像信号を復号化し、通常の映像信号、例えば、ＮＴＳＣ方式の映像信号に変換する。また、この映像信号デコーダ１２６は、変換した映像信号を選択部１２７に出力する。
【００２６】
一方、第２Ａ／Ｄコンバータ１２５には、第２入力切替部１２３によって選択されたアナログ信号である音声信号が入力され、第２Ａ／Ｄコンバータ１２５は、入力されたアナログ信号である音声信号をデジタル信号に変換して選択部１２７に出力する。
【００２７】
そして、選択部１２７は、映像信号デコーダ１２６及び第２Ａ／Ｄコンバータ１２５から出力された映像信号及び音声信号と、後述するダビングを行う際にＨＤドライブ２０１又はＤＶＤドライブ２０３から出力され、デコードされた映像信号及び音声信号と、が入力される。この選択部１２７は、システム制御系１６０の制御に基づいて、入力された映像信号及び音声信号の何れかを選択し、選択した映像信号を映像エンコーダ１２８に、選択した音声信号を音声エンコーダ１２９に出力する。
【００２８】
これにより、映像エンコーダ１２８には、選択部１２７によって選択された映像信号が入力され、この映像エンコーダ１２８は、入力された映像信号をＭＰＥＧフォーマットの映像データに変換し、当該変換した映像データをマルチプレクサ１３０に出力する。
【００２９】
一方、音声エンコーダ１２９には、選択部１２７によって選択された音声信号が入力され、この音声エンコーダ１２９は、入力された音声信号をＡＣ−３フォーマットの音声データに変換し、変換した音声データをマルチプレクサ１３０に出力する。
【００３０】
そして、マルチプレクサ１３０には、ＭＰＥＧフォーマットに変換された映像データとＡＣ−３フォーマットに変換された音声データとが入力され、このマルチプレクサ１３０は、入力された映像データ及び音声データに基づいて、プログラムストリームを生成すると共に、当該生成されたプログラムストリームを第１ドライブ切替部２０４及び第２ドライブ切替部２０６に出力する。
【００３１】
次に、実施形態のレコーダ１００におけるデータ再生系１４０の具体的構成及び動作について説明する。
【００３２】
実施形態のレコーダ１００におけるデータ再生系１４０は、ＨＤ２００からの再生出力又はＤＶＤ２０２からの再生出力のいずれかを選択する再生切替部１４１と、各ＨＤドライブ２０１又はＤＶＤドライブ２０３から出力された音声データ及び映像データをプログラムストリームから抽出するデマルチプレクサ１４２と、このデマルチプレクサ１４２によって分離された映像信号及び音声信号をデコードする再生手段としての映像デコーダ１４３及び音声デコーダ１４４と、映像デコーダ１４３及び音声デコーダ１４４から出力された映像信号及び音声信号とＴＶ受信部１２１から出力された映像信号及び音声信号とを切り替える出力切替部１４５と、後述するモニタに出力される画像上に重畳されるサムネイル（いわゆる代表画像）を生成するサムネイルＯＳＤ（Ｏｎ  Ｓｃｒｅｅｎ  Ｄｉｓｐｌａｙ）１４６と、ＴＶ信号に変換する映像信号エンコーダ１４７と、デジタル信号である映像信号をアナログ信号に変換する第２デジタル／アナログ（以下、「Ｄ／Ａ」と称する）コンバータ１４９と、デジタル信号である音声信号をアナログ信号に変換する第１Ｄ／Ａコンバータ１４８と、から構成され、アナログ信号に変換された映像信号及び音声信号は、映像出力端子及び音声出力端子を介して外部出力される。
【００３３】
このとき、再生切替部１４１には、ＨＤ用ドライブインターフェース２０５を介してＨＤドライブ２０１から出力されたプログラムストリームと、ＤＶＤ用ドライブインターフェース２０７を介してＤＶＤドライブ２０３から出力されたプログラムストリームと、が入力され、この再生切替部１４１は、システム制御部１６６の制御に基づいて、何れか一方のドライブから出力されたプログラムストリームを選択し、当該選択したプログラムストリームをデマルチプレクサ１４２に出力する。
【００３４】
そして、デマルチプレクサ１４２には、再生切替部１４１によって選択されたプログラムストリームが入力され、このデマルチプレクサ１４２は、この入力されたプログラムストリームから映像データ及び音声データを分離し、分離した映像データ及び音声データを、夫々、映像デコーダ１４３又は音声デコーダ１４４に出力する。
【００３５】
特に、このデマルチプレクサ１４２は、プログラムストリームからＭＰＥＧ形式を有する映像データ及びＡＣ−３形式を有する音声データを分離する。
【００３６】
そして、映像デコーダ１４３には、プログラムストリームから分離されたＭＰＥＧ形式を有する映像データが入力され、この映像デコーダ１４３は、入力されたＭＰＥＧ形式の映像データを復号化して映像信号に変換し、当該復号化されたデジタル信号である映像信号を出力切替部１４５に出力する。
【００３７】
一方、音声デコーダ１４４には、プログラムストリームから分離されたＡＣ−３形式を有する音声データが入力され、この音声デコーダ１４４は、入力されたＡＣ−３形式を有する音声データを復号化して音声信号に変換し、当該復号されたデジタル信号である音声信号を出力切替部１４５に出力する。
【００３８】
そして、出力切替部１４５には、データ記録系１２０から出力されたデジタル信号である映像信号及び音声信号と、映像デコーダ１４３及び音声デコーダ１４４によって復号化された映像信号及び音声信号と、が入力され、この出力切替部１４５は、システム制御部１６６の制御に基づいて、データ記録系１２０から出力された映像信号及び音声信号と、復号化された映像信号及び音声信号と、を切り替えて、映像信号をＯＳＤ１４６に、音声信号を第１Ｄ／Ａコンバータ１４８に、夫々出力する。
【００３９】
なお、実施形態では、出力切替部１４５には、映像信号デコーダ１２６から出力された映像信号及び第２Ａ／Ｄコンバータ１２５から出力された音声信号が入力される。
【００４０】
そして、ＯＳＤ１４６には、出力切替部１４５によって切り替えられた映像信号が入力され、このＯＳＤ１４６は、入力された映像信号に対して必要な文字情報等を重畳し、当該文字情報を重畳した映像信号を映像信号エンコーダ１４７に出力する。
【００４１】
なお、実施形態では、ＯＳＤ１４６は、後述するダビングを行う際に、システム制御系１６０の指示に基づいて、上記ダビングリストの内容を示す映像情報を生成し、当該生成した映像情報を入力された映像信号に重畳又は入力された映像信号から切り替えて映像信号エンコーダ１４７に出力する。
【００４２】
また、実施形態におけるＯＳＤ１４６において、上述のようにして生成されるダビングリストに相当する映像情報の詳細については後述する。
【００４３】
一方、映像信号エンコーダ１４７には、文字情報が重畳された映像信号が入力され、この映像信号エンコーダ１４７は、この入力された映像信号を外部のモニタなどに表示させるため、ＴＶ用の映像フォーマットに変換し、当該ＴＶ用のフォーマットに変換した映像信号を第２Ｄ／Ａコンバータ１４９に出力する。
【００４４】
そして、第２Ｄ／Ａコンバータ１４９には、ＴＶ用のフォーマットに変換され、デジタル信号である映像信号が入力され、この第２Ｄ／Ａコンバータ１４９は、この入力されたデジタル信号である映像信号をアナログ信号に変換し、当該アナログ信号に変換した映像信号を、映像出力端子を介して外部に出力する。
【００４５】
また、第１Ｄ／Ａコンバータ１４８には、出力切替部１４５によって切り替えられたデジタル信号である音声信号が入力され、この第１Ｄ／Ａコンバータ１４８は、入力されたデジタル信号である音声信号をアナログ信号に変換し、当該アナログ信号に変換した音声信号を、音声出力端子を介して外部に出力する。
【００４６】
次に、図１を用いて実施形態のレコーダ１００におけるシステム制御系１６０の具体的構成及び動作について説明する。
【００４７】
実施形態のレコーダ１００におけるシステム制御系１６０は、当該レコーダ１００を遠隔操作するリモコン装置１６１から出射された光ビームを受光するリモコン受光部１６２と、使用者が操作設定を行う操作部１６３と、リモコン装置１６１又は操作部１６３による操作の確認等の使用者が所望する情報を表示する表示部１６４と、ダビングを行う際にリモコン装置１６１又は操作部１６３に入力されたキー入力の情報（以下、「キー入力情報」と称する）に基づいてダビングに必要な情報（以下、「ダビング情報」と称する）を設定すると共に、図示しないモニタに表示させるためＯＳＤ１４６を制御してダビング情報の映像情報を生成させる判定手段及び出力手段としてのシステム制御部１６６と、各種動作に必要となるプログラムなどを記録するメモリ１６５と、システム全体を制御する判定手段及び出力手段としてのシステム制御部１６６と、により構成されている。
【００４８】
ここで、リモコン装置１６１は、各種確認ボタン及び数字キー等の多数のキーと、例えばリモコン装置１６１の中央に設けられた上下及び左右のカーソルキーと、から構成されている。
【００４９】
次に、リモコン受光部１６２は、リモコン装置１６１から出射された赤外線光等の光ビームを受光し、当該受光した光ビームを所定の信号に変換して操作部１６３に出力する。
【００５０】
一方、操作部１６３は、リモコン装置１６１と同様に各種確認ボタン及び数字キー等の多数のキーと、上下キー及び左右キーと、から構成される。
【００５１】
また、この操作部１６３は、キー操作に従って、又は、リモコン受光部１６２から出力された所定の信号をシステム制御部１６６に出力する。
【００５２】
なお、この操作部１６３の上下キー及び左右キーはリモコン装置１６１の上下キー及び左右キーと同様の構成を有している。
【００５３】
他方、表示部１６４は、液晶などの複数の発光素子を備える発光部を有し、リモコン装置１６１又は操作部１６３による操作の確認等の使用者が所望する情報を表示する。
【００５４】
次に、情報編集手段としての番組情報設定部３００は、ＨＤ２００又はＤＶＤ２０２に予め設定した時間に放送番組を自動的に記録すると共に、ＨＤ２００に記録されている情報をＤＶＤ２０２にダビングするための設定を行う際に、リモコン装置１６１又は操作部１６３に入力されたキー入力情報に基づいてダビングに必要なダビング情報を設定する。
【００５５】
なお、実施形態におけるシステム制御部１６６において実行される具体的な処理、並びにＯＳＤ１４６において生成されるダビングリストを示す映像情報の詳細については後述する。
【００５６】
次に、システム制御部１６６は、主に中央演算処理装置（ＣＰＵ）によって構成されると共に、キー入力ポート、表示部１６４への出力ポート等の各種入出力ポートを含み、ＨＤ２００の再生及び記録、又はＤＶＤ２０２の再生及び記録の各処理のための全般的な機能を総括的に制御する。
【００５７】
特に、実施形態のシステム制御部１６６は、リモコン装置１６１又は操作部１６３における操作キーの入力に基づいて、番組情報設定部３００にダビング予約情報を設定させると共に、ＯＳＤ１４６によって生成されたダビングリストの映像情報を、映像信号エンコーダ１４７及び第２Ｄ／Ａコンバータ１４９を介して外部に出力させる。
【００５８】
また、システム制御部１６６は、ダビングを行う際に、又は、予約された放送番組をＨＤ２００又はＤＶＤ２０２に記録する際に、メモリ１６５に格納される制御プログラムを読み出して各処理を実行し、当該メモリ１６５に処理中のデータを一時的に保持する。
【００５９】
次に、レコーダ１００のシステム制御部１６６における具体的なダビング等の動作について、図２乃至図４を用いて説明する。なお、図２及び図３はシステム制御部１６６において実行されるダビング予約処理等を示すフローチャートであり、図４は当該ダビング予約処理等の実行に伴って図示しない外部のディスプレイ等に表示されるダビングリスト等の一例である。
【００６０】
始めに、実施形態に係るダビング予約処理等を説明する上での前提として、現在のＨＤ２００に記録されている情報の内容について、図４を用いて説明する。なお、以下の説明においては、ＨＤ２００に記録されている情報における単位をタイトルと称することとする。ここで、当該タイトルとして具体的には、例えば時間的な連続性又は一のストーリ性を持って記録されている一の情報を一のタイトルとする。
【００６１】
そして、以下に説明する実施形態においては、ＨＤ２００には現時点でタイトルＴ１乃至Ｔ３の三つのタイトルＴが記録されているとする。更に、タイトルＴ１については複数の部分タイトルＰＴ１乃至ＰＴ５に分割可能に記録されているとする。なお、当該タイトルＴ１としては、実際には一のタイトルＴであるが、その内容として部分タイトルＰＴ１乃至ＰＴ５に分割可能に記録されているものである。
【００６２】
一方、ＤＶＤ２０２側の制限として、当該ＤＶＤ２０２に記録（ダビング）可能なタイトルは、著作権情報に基づく記録制限が無いタイトルや、カラー標準放送方式の一つであるＮＴＳＣ方式の動画像のみにより記録されているタイトルのみであるとする。更に、同じＮＴＳＣ方式の動画像であっても異なるアスペクト比を有する動画像を一つのタイトルとして纏めて記録することも禁止されているとする。
【００６３】
他方、ＨＤ２００に記録されている各タイトルＴの属性としては、当該ＨＤ２００に対する情報の記録時における制限がそれ自体比較的緩いことから、種々の属性を有する番組を記録することが可能となっている。そして、実施形態の場合は、ＨＤ２００上においてタイトルＴ１を構成する部分タイトルＰＴ１、ＰＴ２及びＰＴ４が夫々ＮＴＳＣ方式に則ったアスペクト比４：３の動画像を含むものであり、部分タイトルＰＴ５がＮＴＳＣ方式に則ったアスペクト比１６：９の動画像を含むものであるとする。
【００６４】
また、部分タイトルＰＴ３については、それ自体はＮＴＳＣ方式に則りアスペクト比も４：３とされているが、著作権法上の制限から、放送後は一回のみ記録が可能とされている（すなわち実施形態ではＨＤ２００に記録された後は他の著作権保護機能を備えていない記録媒体へは複写は禁止とされている）部分タイトルＰＴであるとする。
【００６５】
更に、タイトルＴ２は、ＤＶＤ２０２へはダビングし得ない他のカラー標準放送方式であるＰＡＬ方式に対応しており、更にタイトルＴ３は、部分タイトルＰＴ５と同様にＮＴＳＣ方式に則ったアスペクト比１６：９の動画像を含むものであるとする。
【００６６】
上記した構成を有するＨＤ２００上の各タイトルＴ又は部分タイトルＰＴ（以下、単にタイトルＴ等と称する）を対象としてダビングを実行する場合には、先ずダビングの対象となっているタイトルＴ等を具体的に示すダビングリストを生成する処理を実行する。
【００６７】
すなわち、図２に示すように、始めに当該ダビングの対象とされているタイトルＴ等のうちのいずれか一のタイトルＴ等につき、例えば図４上に示す如き夫々のタイトルＴ等の内容を代表する代表画像（一般にはサムネイル画像とも称される）をＨＤ２００から再生して外部のディスプレイ等に表示する（ステップＳ１）。
【００６８】
そして、当該代表画像の表示と並行して、ＨＤ２００上に予め記録されている各タイトルＴ等の属性情報を含む管理情報から、当該代表画像が表示されたタイトルＴ等の属性（具体的には、上述したカラー標準放送方式、アスペクト比又は著作権法上の複写制限を示す情報等である）を示す上記属性情報を抽出し、その内容に基づいて、代表画像が表示されているタイトルＴ等が、特に上記ＤＶＤ２０２についての制限に照らして当該ＤＶＤ２０２にダビングすることが可能なタイトルＴ等であるか否かを確認する（ステップＳ２）。そして、現時点で判断対象となっているタイトルＴ等が、ＨＤ２００に記録されている記録態様のままＤＶＤ２０２にダビングすることが可能な属性を有するものであるとき、図４の例で言えば、判断対照となっているタイトルＴ等が図４上に示すタイトルＴ３であるときは（ステップＳ２；ＹＥＳ）、直ちに後述するステップＳ６に移行する。
【００６９】
一方、ステップＳ２の判定において、現時点で判断対象となっているタイトルＴ等がその記録態様のままＤＶＤ２０２にダビングすることが可能な属性を有するものでないときは（ステップＳ２；ＮＯ）、次に、そのタイトルＴ等が、後述するような編集処理を施せばＤＶＤ２０２へのダビングが実行可能となるものであるか否かを確認する（ステップＳ３）。
【００７０】
そして、何らかの編集処理を施せばＤＶＤ２０２へのダビングの実行が可能となる属性を有するタイトルＴ等であるときは（ステップＳ３；ＹＥＳ）、ダビング前に必要な編集処理を実行すべき旨を注意喚起するための注意マークを、その判断対象となっているタイトルＴに対応する代表画像に対してタイトルＴを単位として付加・表示し（ステップＳ５）、一方、どんな編集処理を施してもＤＶＤ２０２へのダビングの実行が可能とならない属性のタイトルＴ等であるときは（ステップＳ３；ＮＯ）、ＤＶＤ２０２へのダビングの実行が全く禁止されているタイトル等である旨の追加禁止マークＭＮＧを、その判断対象となっているタイトルＴに対応する代表画像に付加して表示する（ステップＳ４）。
【００７１】
このとき、上記ステップＳ５における表示の例としては、例えば図４に示す場合において、タイトルＴ１としてはそれ一つを纏めてＤＶＤ２０２にダビングすることは上記制限からできないが、そのタイトルＴが編集処理により部分タイトルＰＴ１乃至ＰＴ５に分割されれば、著作権法上の制限によりダビングできない部分タイトルＰＴ３を除き、当該分割後の部分タイトルＰＴ１及びＰＴ２並びにＰＴ４及びＰＴ５はそのままダビングの対象とすることができるので、当該タイトルＴ１全体としてはその代表画像内の脇の部分に事前の分割編集処理が必要である旨の注意マークＭＣを表示する。
【００７２】
一方、上記ステップＳ４における表示の例としては、例えば図４に示す場合において、タイトルＴ２はそのカラーテレビジョン標準放送方式の相違から元々ＤＶＤ２０２へのダビングの対象とはなり得ないので、その旨を示す追加禁止マークＭＮＧをその代表画像内の脇の部分に表示する。
【００７３】
そして、現在判断対象となっているタイトルＴ等につき、上記追加禁止マークＭＮＧ又は注意マークＭＣの表示が完了したら、次に、ダビングが所望されている全てのタイトルＴ等につきステップＳ１乃至Ｓ６の処理が完了したか否かを確認し（ステップＳ６）、完了していないならば（ステップＳ６；ＮＯ）次に判断対象となるべきタイトルＴ等について上記ステップＳ１乃至Ｓ６の処理を実行するために当該ステップＳ１に戻る。
【００７４】
一方、ステップＳ６の判定において、ダビングが所望されている全てのタイトルＴ等につきステップＳ１乃至Ｓ６の処理が完了している場合には（ステップＳ６；ＹＥＳ）、図４上に示す如き注意マークＭＣ又は追加禁止マークＭＮＧが各タイトルＴ等を示す代表画像が表示されている状態で、使用者によりそのマーク等に基づいてダビングの対象とすべくダビングリストＤＬにタイトルＴ等を追加する処理が実行される（ステップＳ７）。
【００７５】
そして、その追加することが指定されたタイトルＴ等が、ダビングの実行が禁止されていないタイトルであるか否か、すなわち、上記追加禁止マークＭＮＧが代表画像内に表示されていないタイトルＴ等であるか否かを確認し（ステップＳ８）、追加禁止マークＭＮＧが表示されているタイトルＴ等であるときは（ステップＳ８；ＮＯ）その旨を警告するための表示又は音声を、図４に示す表示が行われている外部のディスプレイ等又はスピーカを用いて警告告知し（ステップＳ１１）後述する（ステップＳ１３）の処理に移行する。
【００７６】
一方、上記ステップＳ８の判定において、追加が指定されたタイトルＴ等が、追加禁止マークＭＮＧが表示されているタイトルＴ等でないときは（ステップＳ８；ＹＥＳ）、次に、その追加が指定されたタイトルＴ等が、ＨＤ２００に記録されている記録態様のままでＤＶＤ２０２にダビングすることが可能なものであるか否か、すなわち、図４に示す例で言えば追加が指定されたタイトルＴ等がタイトルＴ３のみであるか否かを確認する（ステップＳ９）。
【００７７】
そして、そのままダビングすることができるタイトルＴ等（タイトルＴ３のみ）であるときは（ステップＳ９；ＹＥＳ）そのまま後述のステップＳ１２へ移行し、一方、追加が指定されたタイトルＴ等が、そのままではダビングできないタイトルＴ等（図４に示す例で言えばタイトルＴ１）であるときは（ステップＳ９；ＮＯ）、そのタイトルＴ等に対するダビングを実行するために必要な編集処理（図４に示す例で言えば、タイトルＴ１を部分タイトルＰＴ１乃至ＰＴ５に分割し、且つ部分タイトルＰＴ３を除いた状態で追加用に設定する）を施し（ステップＳ１０）、その編集後の状態でダビングリストに追加登録する（ステップＳ１２）。
【００７８】
そして、ダビングが所望されている全てのタイトルＴ等につきステップＳ７乃至Ｓ１２の処理が完了したか否かを確認し（ステップＳ１３）、完了していないならば（ステップＳ１３；ＮＯ）次に追加の対象となるべきタイトルＴ等について上記ステップＳ７乃至Ｓ１２の処理を実行するために当該ステップＳ７に戻る。
【００７９】
一方、ステップＳ１３の判定において、ダビングが所望されている全てのタイトルＴ等につきステップＳ７乃至Ｓ１２の処理が完了している場合には（ステップＳ１３；ＹＥＳ）、実施形態に係るダビングリストの生成処理を終了する。
【００８０】
このステップＳ１３までの処理が完了した段階では、例えば図４下に示すように、ＤＶＤ２０２へのダビングの対象として追加されたタイトルＴ等のみを含むダビングリストＤＬが外部のディスプレイ等上に表示される。そしてこのとき、ＨＤ２００上においてタイトルＴ１を構成していた部分タイトルＰＴ１、ＰＴ２、ＰＴ４及びＰＴ５については、夫々が元のタイトルＴ１から分割され相互に独立したダビング用の新たなダビングタイトルＬＴ１乃至ＬＴ４として、対応する代表画像と共にダビングリストＤＬ内に含まれることとなる。また、元々独立してダビングに供することが可能であったタイトルＴ３については、そのままダビングタイトルＬＴ５として、対応する代表画像と共にダビングリストＤＬ内に含まれることになる。
【００８１】
次に、図２に示す処理により作成されたダビングリストＤＬに基づいて、実際にダビング前編集をする場合の動作につき、図３を用いて説明する。
【００８２】
図２に示すダビングリストＤＬの作成処理が完了した後においてダビングタイトルの編集を開始しようとするときは、図３に示すように、先ず各ダビングタイトルＬＴにつき対応する代表画像を表示する（ステップＳ１５）と共に、その代表画像内の脇の部分に、当該ダビングタイトルＬＴの属性を示す属性マークを表示する（ステップＳ１６）。この属性マークは、ＤＶＤ２０２上にダビングする段階において複数のダビングタイトルＬＴを合成する編集処理を行うとき、上述した如くＤＶＤ２０２においては同じ属性を有するダビングタイトルＬＴのみがその合成する編集処理の対象となり得るため、この編集処理の対象となり得るダビングタイトルＬＴを他のダビングタイトルＬＴから識別するために代表画像内に表示するものである。
【００８３】
より具体的に図４に示す場合で言えば、ダビングタイトルＬＴ１乃至ＬＴ３（元の部分タイトルＰＴ１、ＰＴ２及びＰＴ４）が、カラー標準放送方式並びにアスペクト比が相互に同一であることから上記合成編集処理の対象となり得るので、その旨を示す同一の属性マークＭ１を夫々の代表画像内に表示し、一方、ダビングタイトルＬＴ４及びＬＴ５（元部分タイトルＰＴ５及びタイトルＴ３）が、カラー標準放送方式並びにアスペクト比が相互に同一であることから上記合成編集処理の対象となり得るので、その旨を示す同一の属性マークＭ２（先の属性マークＭ１に対して識別可能な異なる態様を有している）を夫々の代表画像内に表示する。
【００８４】
そして、現在判断対象となっているダビングタイトルＬＴにつき、上記各属性マークＭの表示が完了したら、次に、ダビングが所望されている全てのダビングタイトルＬＴにつきステップＳ１５及びＳ１６の処理が完了したか否かを確認し（ステップＳ１７）、完了していないならば（ステップＳ１７；ＮＯ）次に判断対象となるべきダイビングタイトルＬＴについて上記ステップＳ１５及びＳ１６の処理を実行するために当該ステップＳ１５に戻る。
【００８５】
一方、ステップＳ１７の判定において、ダビングが所望されている全てのダビングタイトルＬＴにつきステップＳ１５及びＳ１６の処理が完了している場合には（ステップＳ１７；ＹＥＳ）、図４下に示す如き属性マークＭを夫々に含む各ダビングタイトルＬＴを示す代表画像が表示されている状態で、使用者によりその属性マークＭに基づいてダビング実行の対象とすべきダビングタイトルＬＴを指定する処理が実行される（ステップＳ１８）。
【００８６】
そして、そのダビングすることが指定されたダビングタイトルＬＴが、所望されている合成編集処理等の対象とすることが可能なダビングタイトルＬＴであるか否か、すなわち、同じ形状の属性マークＭが代表画像内に表示されているダビングタイトルＬＴのみか否かを確認し（ステップＳ１９）、同一属性を有するダビングタイトルＬＴのみでないときは（ステップＳ１９；ＮＯ）その旨を警告するための表示又は音声を上記外部のディスプレイ等又はスピーカを用いて警告告知し（ステップＳ２１）ダビングリスト編集処理を終了する。
【００８７】
他方、ステップＳ１９の判定において、同一属性を有するダビングタイトルＬＴのみであるときは（ステップＳ１９；ＹＥＳ）そのダビングタイトルＬＴを対照して必要な編集処理等を行って（ステップＳ２０）ダビングリスト編集処理を終了する。
【００８８】
そしてこの後は、最終的な編集後のダビングリストＤＬに登録されている各ダビングタイトルＬＴにつき、所望のタイミングでＨＤ２００からＤＶＤ２０２への実際のダビングが実行されるのである。
【００８９】
以上説明したように、実施形態のレコーダ１００の動作によれば、ＤＶＤ２０２へダビングする際に必要な編集処理の実行前に、当該ダビングの実行対象であるタイトルＴ等をＤＶＤ２０２がダビングすることが可能であるか否かを判定し、その判定結果を示す告知情報を出力するので、使用者がその告知情報に基づいて実際に編集処理を実行する前にＤＶＤ２０２へのダビングの実行の可否を判定することができる。
【００９０】
従って、編集処理の実行前にダビングの実行の可否を判断することで、ダビング実行上の利便性及び効率を向上させることができる。
【００９１】
また、ＨＤ２００上のタイトルＴ等を示す代表画像と、ダビングリストＤＬと、追加禁止マークＭＮＧ及び注意マークＭＣと、を出力するので、その出力先においてダビングの実行の可否を容易に認識することができる。
【００９２】
更に、あるタイトルＴ等がＨＤ２００上における記録態様のままダビングの対象とすることができるか否かに加えて、過去の履歴等を用いて上記編集処理を実行すればダビングの対象とできるか否かまで判定し、その二段階の判定の結果を出力するので、そのままではダビングの対象とできないタイトルＴ等であっても編集処理との関連で当該対象となり得るかを事前に判断でき、より効率的にダビングの実行の可否を判断することができる。
【００９３】
更にまた、編集処理後においてダビングの対象とされるダビングタイトルＬＴ毎の属性を示す属性マークＭを含むので、当該属性情報により視覚的に処理不可能情報を識別することができる。
【００９４】
また、複数の属性を有するダビングタイトルＬＴにつき、同一の属性を有する当該ダビングタイトルＬＴを同一の属性マークＭを用いて示すので、同一の属性を有するダビングタイトルＬＴを容易に認識することができる。
【００９５】
更に、ダビングに供することが可能か否かの判定内容に基づいて、当該ダビングに供することが可能とされたダビングタイトルＬＴのみを示す属性マークＭを各ダビングタイトルＬＴ毎に表示するので、一目でダビングの可能なダビングタイトルＬＴがいずれであるかを認識することができる。
【００９６】
なお、上述した実施形態においては、図２のステップＳ３の判定における判定基準として、タイトルＴ等に含まれる動画像におけるカラー標準放送方式、当該動画像におけるアスペクト比及び当該動画像における著作権法に係る複写制限を用いたが、これ以外に、例えば、ダビング対象のタイトルにおける情報量に基づき、そのタイトルが記録できるだけの空き領域がダビング先にて確保できない場合、一のタイトルＴの全てが複写制限されているときにダビング自体を実行禁止とする場合、ＨＤ２００上の動画像においてフレーム単位で編集がされているときにダビング自体を実行禁止とする場合、ＨＤ２００上においてタイトルＴの単位における当該タイトルＴの管理情報の内容がＤＶＤ２０２において許容されていないときにダビング自体を実行禁止とする場合、ＨＤ２００上の動画像において異なる解像度の動画像が一のタイトルＴ内に含まれているときにダビングの実行を注意とする（分割編集することが前提となることを注意喚起する）場合、ＨＤ２００上の動画像において異なる音声フォーマットの音声が一のタイトルＴ内に含まれているときにダビングの実行を注意とする（その音声フォーマット毎に分割編集することが前提となることを注意喚起する）場合、ＨＤ２００上の動画像において複数種類の言語を用いた音声が一のタイトルＴ内に含まれているときにダビングの実行を注意とする（その言語毎に分割編集することが前提となることを注意喚起する）場合等を、夫々に判定の基準としてもよい。
【００９７】
また、図３のステップＳ１９の判定における判定基準についても、上述したもの以外に、例えば、各ダビングタイトルＬＴとしての動画像において異なる解像度の動画像が一のダビングタイトルＬＴ内に含まれているときに編集処理の実行を注意とする（分割編集することが前提となることを注意喚起する）場合、又は各ダビングタイトルＬＴとしての動画像において異なる音声フォーマットの音声が一のダビングタイトルＬＴ内に含まれているときに編集処理の実行を注意とする（その音声フォーマット毎に分割編集することが前提となることを注意喚起する）場合等を、夫々に判定の基準とすることができる。
【００９８】
このように種々の判定基準を設けて実施形態のダビング予約処理を実行すれば、ＤＶＤ２０２における記録フォーマット等に対応してより確実に当該ダビングの実行の可否を判断することができる。
【００９９】
更に、上述した実施形態においては、ダビングに供される記録媒体としてＨＤ２００及びＤＶＤ２０２を用いる場合について説明したが、これ以外に、ＤＶＤ同士又はＨＤ同士でダビングを行う場合に本願を適用することもできるし、或はＤＶＤからＨＤにダビングを実行する場合に本願を適用することも可能である。
【０１００】
また、上述の実施形態においては、ＨＤ２００から再生したタイトルＴ等のＤＶＤ２０２への再記録という、異なる媒体間のダビングに対して本願を適用した場合について説明したが、これ以外に、同一のＨＤや同一のＤＶＤ内での再記録に対しても本願は適応可能である。この場合は、例えばＨＤ上の一のタイトルに対して「コピー不可」又は「一回のみコピー可能」等の著作権法上の制限が設けられているとき、それらのタイトルを同一のＨＤ内にダビングしようとするときにその禁止表示（「コピー不可」の場合）等を告知することになる。
【０１０１】
更に、図２及び図３に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係るシステム制御部１６６として用いることも可能である。
【図面の簡単な説明】
【図１】実施形態に係るレコーダの概要構成を示すブロック図である。
【図２】実施形態に係るダビングリスト生成処理を示すフローチャートである。
【図３】実施形態に係るダビング前編集処理を示すフローチャートである。
【図４】実施形態に係るダビング予約処理等の実行態様を例示する図である。
【符号の説明】
１００…レコーダ
１６６…システム制御部
２００…ＨＤ
２０２…ＤＶＤ
３００…予約情報設定部
Ｔ１、Ｔ２、Ｔ３…タイトル
ＰＴ１、ＰＴ２、ＰＴ３、ＰＴ４、ＰＴ５…部分タイトル
ＤＬ…ダビングリスト
ＭＮＧ…追加禁止マーク
ＭＣ…注意マーク
Ｍ１、Ｍ２…属性マーク
【図１】
2005044400.tif 000003
【図２】
2005044400.tif 000004
【図３】
2005044400.tif 000005
【図４】
2005044400.tif 000006